【手続補正書】
【提出日】平成18年1月19日(2006.1.19)
【手続補正１】
【補正対象書類名】明細書
【補正対象項目名】特許請求の範囲
【補正方法】変更
【補正の内容】
【特許請求の範囲】    【請求項１】  通信ネットワークを介して接続されるコンピュータ端末から登録者認証情報を受信する受信手段と；  前記受信した登録者認証情報に基いて認証処理し、前記コンピュータ端末に対して１又は複数の地域サーバ番組表を表示するように制御する番組表示手段と；  前記コンピュータ端末に表示させた地域サーバ番組表内の番組を指定するように促す番組指定手段と；  前記コンピュータ端末において指定された前記番組に対して、地域名及び商品情報を有する広告情報を登録する広告登録手段と；  前記指定された番組に関連付けて前記広告情報を記憶する記憶手段と；を備える広告付き番組配信サーバ。    【請求項２】  通信ネットワークを介して接続されるユーザ端末からユーザ認証情報及びアクセス情報を受信する受信手段と；  前記受信したユーザ認証情報に基いて認証処理し、前記ユーザ端末に対して前記通信ネットワークを介してユーザが指定する地域サーバから録画番組を配信するように指令する録画番組配信指令手段と；  前記受信したアクセス情報及びユーザ認証情報に対応する属性情報に基づき、前記録画番組が配信されるユーザ端末に対して前記通信ネットワークを介して、選択された１又は複数の広告情報を表示させるように制御する広告情報配信手段と；を備える広告付き番組配信サーバ。    【請求項３】  通信ネットワークを介して接続されるユーザ端末からユーザ認証情報を受信する受信手段と；  前記受信したユーザ認証情報に基いて認証処理し、前記ユーザ端末に対して前記通信ネットワークを介してユーザが指定する地域サーバから録画番組を配信するように指令する録画番組配信指令手段と；  前記ユーザが指定する地域サーバの地域情報に基づき、言語又は地域を特定する広告情報を選択し、前記録画番組が配信されるユーザ端末に対して前記通信ネットワークを介して、選択された１又は複数の前記広告情報を表示させるように制御する広告情報配信手段と；を備える広告付き番組配信サーバ。    【請求項４】  通信ネットワークを介して接続されるユーザ端末からユーザ認証情報を受信する受信手段と；  前記受信したユーザ認証情報に基いて認証処理し、前記ユーザ端末に対して前記通信ネットワークを介してユーザが指定する地域サーバから録画番組を配信するように指令する録画番組配信指令手段と；  前記配信する録画番組の番組情報に基づき、言語又は地域を特定する広告情報を選択し、前記録画番組が配信されるユーザ端末に対して前記通信ネットワークを介して、選択された１又は複数の前記広告情報を表示させるように制御する広告情報配信手段と；を備える広告付き番組配信サーバ。    【請求項５】  通信ネットワークを介して特定サーバに接続されるコンピュータ端末を機能させる方法であって、登録者の認証情報を、通信ネットワークを介して特定サーバに送信させ、前記認証情報の認証結果に応じて前記特定サーバから通信ネットワークを介して供給される録画番組表を表示させ、表示させた録画番組表内において端末操作者に番組指定を促し、番組指定がなされると前記端末操作者に当該番組指定された録画番組に関連する広告情報の入力を促し、広告情報が入力されると前記録画番組を示す情報と当該広告情報とを前記特定���ーバに対して通信ネットワークを介して送信するように機能させるネットワーク広告登録方法。    【請求項６】 ユーザ端末の電子番組案内又は予約画面上からユーザが指定する放送番組をネットワーク回線を通じて録画予約する番組予約サーバと； 前記ネットワーク回線に接続され、第１の視聴地区で有線又は無線の放送番組を蓄積する第１の番組記録サーバと； 前記ネットワーク回線に接続され、前記第１の視聴地区と異なる第２の視聴地区で有線又は無線の放送番組を蓄積する第２の番組記録サーバと； ユーザからのアクセスを認証し、前記番組予約サーバで録画予約した放送番組を前記第１又は第２の番組記録サーバから前記ネットワーク回線を通じて、アクセス中のユーザ端末へストリーミング方式により個別配信する番組配信サーバと；を備えるネットワーク番組録画予約システム。    【請求項７】 前記番組予約サーバは、前記第１及び第２の番組記録サーバに蓄積された放送番組の蓄積期限を設定し、該蓄積期限を超過した放送番組を前記第１及び第２の番組記録サーバから削除する放送番組削除情報を前記ネットワーク回線を通じて前記第１及び第２の番組記録サーバへ送信する放送番組削除手段 を備える請求項１記載のネットワーク番組録画予約システム。    【請求項８】 前記ユーザの認証情報に対応する性別、住所、年齢、趣味、希望広告種のユーザ属性情報の少なくとも１つを記録するユーザ属性情報記憶領域と； 広告主の広告情報を蓄積すると共に、前記ユーザ属性情報記憶領域に記憶されたユーザ属性情報の少なくとも１つの情報を用いて、所定の広告を選択し前記ネットワーク回線を通じて前記ユーザ端末の電子番組案内又は予約画面上に表示させる広告配信手段と；を備える請求項１記載のネットワーク番組録画予約システム。    【請求項９】 前記ユーザが前記番組予約サーバを介して再生視聴した放送番組の管理ＩＤ、名称、著作者、放送時間の各々をポイント化し自動的にレーティングすると共に、該レーティング上位の放送番組リストを前記ユーザ端末の電子番組案内又は予約画面上に表示させる個別予約案内手段をさらに備える請求項１に記載のネットワーク番組録画予約システム。    【請求項１０】 前記第１の番組記録サーバを国内の番組視聴地区に設置し、前記第２の番組記録サーバを海外の番組視聴地区に設置する請求項６に記載のネットワーク番組録画予約システム。    【請求項１１】 ネットワーク回線を通じて放送番組を録画予約し視聴するネットワーク番組録画予約方法であって；第１の視聴地区で有線又は無線の放送番組を第１の番組記録サーバに蓄積し、前記第１の視聴地区と異なる第２の視聴地区で有線又は無線の放送番組を第２の番組記録サーバに蓄積する番組記録工程と；ユーザ端末の電子番組案内又は予約画面上からユーザが指定する放送番組を前記ネットワーク回線を通じて録画予約する番組予約工程と； 前記ユーザからのアクセスを認証し、該ユーザが録画予約した放送番組に対応する前記第１又は第２の番組記録サーバに蓄積した録画番組を前記ネットワーク回線を通じて、アクセス中のユーザ端末へストリーミング方式により個別配信する番組配信工程と；を備えるネットワーク番組録画予約方法。【手続補正２】
【補正対象書類名】明細書
【補正対象項目名】０００１
【補正方法】変更
【補正の内容】
【０００１】  本発明は広告付き番組配信サーバ及びネットワーク広告登録方法に係り、特に、複数の地域又は領域で放映されるテレビ放送番組やラジオ放送番組を蓄積し、蓄積した録画番組にアクセスする視聴者の国籍や使用言語に個別対応する広告情報を通信ネットワークを介して配信する広告付き番組配信サーバ及びネットワーク広告登録方法に関するものである。 また、本発明はネットワーク番組録画予約システムに係り、特に、テレビ放送番組やラジオ放送番組をネットワーク回線を通じて番組録画予約するネットワーク番組録画予約システムに関する。
【手続補正３】
【補正対象書類名】明細書
【補正対象項目名】００２１
【補正方法】変更
【補正の内容】
【００２１】  このように構成すると、コンピュータ端末８から広告情報７が入力されると録画番組を示す情報と当該広告情報とを特定サーバ２に対して通信ネットワークを介して送信するように機能させることができる。 上記において、番組予約サーバ１８で録画予約した放送番組を第１又は第２の番組記録サーバ２４、２６からネットワーク回線１４を通じてアクセス中のユーザ端末１０へストリーミング方式により個別配信可能にするため、請求項６に係る発明によるネットワーク番組録画予約システムは、例えば、図１に示すように、ユーザ端末１０の電子番組案内又は予約画面上からユーザが指定する放送番組をネットワーク回線１４を通じて録画予約する番組予約サーバ１８と、ネットワーク回線１４に接続され、第１の視聴地区で有線又は無線の放送番組を蓄積する第１の番組記録サーバ２４と、ネットワーク回線１４に接続され、第１の視聴地区と異なる第２の視聴地区で有線又は無線の放送番組を蓄積する第２の番組記録サーバ２６と、ユーザからのアクセスを認証し番組予約サーバ１８で録画予約した放送番組を第１又は第２の番組記録サーバ２４、２６からネットワーク回線１４を通じて、アクセス中のユーザ端末１０へストリーミング方式により個別配信する番組配信サーバ２０とを備える。 蓄積期限を超過した放送番組を第１及び第２の番組記録サーバ２４、２６から削除するため、上記の    番組予約サーバ１８は、第１及び第２の番組記録サーバ２４、２６に蓄積された放送番組の蓄積期限を設定し、蓄積期限を超過した放送番組を第１及び第２の番組記録サーバ２４から削除する放送番組削除情報をネットワーク回線１４を通じて第１及び第２の番組記録サーバ２４へ送信する放送番組削除手段２２を備えることができる。  ユーザの属性情報に適合した広告をユーザ端末１０の電子番組案内又は予約画面上に表示可能とするため、ネットワーク番組録画予約システムは、ユーザの認証情報に対応する性別、住所、年齢、趣味、希望広告種のユーザ属性情報の少なくとも１つを記録するユーザ属性情報記憶領域１７と、広告主の広告情報を蓄積すると共に、ユーザ属性情報記憶領域１７に記憶されたユーザ属性情報の少なくとも１つの情報を用いて、所定の広告を選択しネットワーク回線１４を通じてユーザ端末１０の電子番組案内又は予約画面上に表示させる広告配信手段２１とを備えることができる。  ユーザが番組予約サーバ１８を介して再生視聴した放送番組の管理ＩＤ、名称、著作者、放送時間の各々をポイント化し自動的にレーティングすると共に、レーティング上位の放送番組リストをユーザ端末１０の電子番組案内又は予約画面上に表示可能とするため、ネットワーク番組録画予約システムは、ユーザが番組予約サーバ１８を介して再生視聴した放送番組の管理ＩＤ、名称、著作者、放送時間の各々をポイント化し自動的にレーティングすると共に、レーティング上位の放送番組リストをユーザ端末１０の電子番組案内又は予約画面上に表示させる個別予約案内手段１６をさらに備えることができる。  国内放送番組を蓄積する第１の番組記録サーバ２４と海外放送番組を蓄積する第２の番組記録サーバ２６を備えるため、複数の地域の放送番組を録画及び視聴するため、ネットワー���番組録画予約システムは、第１の番組記録サーバ２４を国内の番組視聴地区に設置し、第２の番組記録サーバ２６を海外の番組視聴地区に設置することができる。  複数の視聴地区で放映されている放送番組を録画予約し、録画番組をユーザ端末１０へストリーミング方式により個別配信可能とするため、ネットワーク回線１４を通じて放送番組を録画予約し視聴するネットワーク番組録画予約方法であって、第１の視聴地区で有線又は無線の放送番組を第１の番組記録サーバ２４に蓄積し、第１の視聴地区と異なる第２の視聴地区で有線又は無線の放送番組を第２の番組記録サーバ２６に蓄積する番組記録工程と、ユーザ端末１０の電子番組案内又は予約画面上からユーザが指定する放送番組をネットワーク回線１４を通じて録画予約する番組予約工程と、ユーザからのアクセスを認証し、ユーザが録画予約した放送番組に対応する第１又は第２の番組記録サーバ２４、２６に蓄積した録画番組をネットワーク回線１４を通じて、アクセス中のユーザ端末１０へストリーミング方式により個別配信する番組配信工程とを備えるネットワーク番組録画予約方法を提供することができる。
【手続補正４】
【補正対象書類名】明細書
【補正対象項目名】０１１２
【補正方法】変更
【補正の内容】
【０１１２】  図７は、本発明の実施の形態である広告付き番組配信サーバのウエブ画面図である。図示したウエブ画面１００は、通信ネットワークを介して配信される録画番組と広告情報とを番組ユーザ端末としてのパーソナルコンピュータ等にインストールしているブラウザソフトにフラッシュプレーヤをプラグインして表示させている状態を例示している。 上記のウエブ画面１００は、実施の形態としてネットワーク番組録画予約システムの予約画面図とすることも可能である。この場合の予約画面１００は、パーソナルコンピュータ等にインストールしているブラウザにフラッシュプレーヤをプラグインした状態を例示するものなる。
【手続補正５】
【補正対象書類名】明細書
【補正対象項目名】０１１７
【補正方法】変更
【補正の内容】
【０１１７】  図７のウエブ画面１００を参照して、広告付き番組配信サーバの作動フローを説明する。第１のステップでは、ユーザがユーザ端末のディスプレイに表示された予約画面の録画予定日入力ボックス１０３にポインタを移動させて、キーボードから西暦の年月日を入力する。また、録画予定日入力ボックス１０３の右側に設けられたダウンメニューボタンをマウスなどで選択操作し将来の日付をダウン表示させてマウスなどで選択することもできる。但し、初期設定画面には現在の年月日が表示されているので、当日の番組を予約する場合は年月日の入力操作を省略することができる。 上記において、ウエブ画面１００が予約画面の場合は、ネットワーク番組録画システムの作動フローを説明するものとなる。
【手続補正６】
【補正対象書類名】明細書
【補正対象項目名】０１５２
【補正方法】変更
【補正の内容】
【０１５２】  以上、説明したように本発明の広告付き番組配信サーバによれば、通信ネットワークを通じて録画番組を配信する際に、ユーザに対して個別対応可能な広告情報を選択的に自動配信するという優れた効果を奏し得る。 また、ネットワーク番組録画予約システムによれば、録画予約サービスを提供するサーバの設置地域に限定されないネットワーク番組録画予約システムを提供することができる。